(57)【特許請求の範囲】
【請求項１】
長手方向と幅方向と厚さ方向とを有し、後胴回り部と股下部と前胴回り部とが前記長手方向に並び、前記後胴回り部から前記幅方向の両外側に延出する一対のファスニングテープを前記前胴回り部に係止することによって、一つの胴回り開口と一対の脚回り開口とが形成される展開型おむつであって、
前記幅方向の両外側の部位に、前記長手方向に伸縮可能な一対の脚回り伸縮部を有し、
前記長手方向の前記前胴回り部側の部位に、前記厚さ方向の肌側から視認可能な第１目印領域及び第２目印領域を有するとともに、前記厚さ方向の非肌側から視認可能な第３目印領域及び第４目印領域を有し、
前記第１目印領域は前記幅方向の一方側に位置し、前記第２目印領域は前記幅方向の他方側に位置し、
前記第１目印領域及び前記第２目印領域は、装着時におむつの非肌側面が凸となるように装着者が近づけるべき領域であり、
前記第３目印領域は、前記幅方向の一方側の前記脚回り伸縮部のうち前記長手方向の前記前胴回り部側の端近傍に位置し、前記第４目印領域は、前記幅方向の他方側の前記脚回り伸縮部のうち前記長手方向の前記前胴回り部側の端近傍に位置し、
前記第３目印領域及び前記第４目印領域は、装着時に装着者が指を接触させるべき領域であることを特徴とする展開型おむつ。
【請求項２】
請求項１に記載の展開型おむつであって、
前記第１目印領域及び第２目印領域は、前記長手方向に長いライン状の領域であることを特徴とする展開型おむつ。
【請求項３】
請求項１又は請求項２に記載の展開型おむつであって、
液透過性のトップシートと液不透過性のバックシートとの間に吸収体コアが設けられた本体部を有するとともに、
前記幅方向の両外側の部位であり、前記一対の脚回り伸縮部よりも前記幅方向の内側の部位に、前記本体部から前記厚さ方向の肌側に起立する一対の防漏壁部を有し、
前記第１目印領域及び前記第２目印領域がそれぞれ、前記幅方向において、前記防漏壁部と前記厚さ方向に重なる領域に位置することを特徴とする展開型おむつ。
【請求項４】
請求項３に記載の展開型おむつであって、
前記防漏壁部の前記長手方向の端部は着色された接着剤で前記本体部に接着され、
前記第１目印領域及び前記第２目印領域が、前記着色された接着剤によって形成された領域であることを特徴とする展開型おむつ。
【請求項５】
請求項１から請求項３の何れか１項に記載の展開型おむつであって、
前記第１目印領域及び前記第２目印領域が、エンボスパターンによって形成された領域であることを特徴とする展開型おむつ。
【請求項６】
請求項１から請求項５の何れか１項に記載の展開型おむつであって、
液透過性のトップシートと液不透過性のバックシートとの間に吸収体コアが設けられた本体部を有し、
前記第１目印領域及び前記第２目印領域が、前記幅方向において、前記吸収体コアと前記厚さ方向に重なる領域に位置することを特徴とする展開型おむつ。
【請求項７】
請求項６に記載の展開型おむつであって、
前記吸収体コアの幅が最も狭い部位よりも、前記第１目印領域及び前記第２目印領域の方が、前記幅方向の外側に位置することを特徴とする展開型おむつ。
【請求項８】
請求項１から請求項７の何れか１項に記載の展開型おむつであって、
前記第３目印領域及び前記第４目印領域が、着色によって形成された領域であることを特徴とする展開型おむつ。
【請求項９】
請求項８に記載の展開型おむつであって、
前記第３目印領域の近傍に位置し、前記厚さ方向の非肌側から視認可能であり、前記第３目印領域とは異なる色の第５目印領域と、
前記第４目印領域の近傍に位置し、前記厚さ方向の非肌側から視認可能であり、前記第４目印領域とは異なる色の第６目印領域とを有することを特徴とする展開型おむつ。
【請求項１０】
請求項１から請求項９の何れか１項に記載の展開型おむつであって、
前記第３目印領域の近傍に位置し、前記厚さ方向の非肌側から視認可能であり、前記第３目印領域とは異なる大きさの第５目印領域と、
前記第４目印領域の近傍に位置し、前記厚さ方向の非肌側から視認可能であり、前記第４目印領域とは異なる大きさの第６目印領域とを有することを特徴とする展開型おむつ。
【請求項１１】
請求項９又は請求項１０に記載の展開型おむつであって、
前記第３目印領域と前記第５目印領域の少なくとも一方と、前記第４目印領域と前記第６目印領域の少なくとも一方とが、前記脚回り伸縮部と前記厚さ方向に重なる領域に位置することを特徴とする展開型おむつ。
【請求項１２】
請求項１から請求項１１の何れか１項に記載の展開型おむつであって、
前記長手方向の前記前胴回り部側の部位のうち前記幅方向の両外側に位置し、前記厚さ方向の非肌側から視認可能な一対の第７目印領域を有し、
前記一対の第７目印領域はそれぞれ、前記脚回り伸縮部に沿う部位と、前記脚回り伸縮部の長手方向の端近傍からおむつの前記幅方向の端部に向かう部位とを有することを特徴とする展開型おむつ。
【請求項１３】
請求項１から請求項１２の何れか１項に記載の展開型おむつであって、
前記長手方向の前記後胴回り部側の部位に、前記厚さ方向の肌側から視認可能な第８目印領域を有し、
前記第８目印領域は、装着時に、着用者に対するおむつの敷き込み位置の目印となる領域であることを特徴とする展開型おむつ。
【発明の詳細な説明】
【技術分野】
【０００１】
本発明は、展開型おむつ、及び、展開型おむつの装着方法の説明方法に関する。
【背景技術】
【０００２】
展開型おむつでは、後胴回り部から幅方向の両外側に延出する一対のファスニングテープを前胴回り部に係止することによって、一つの胴回り開口と一対の脚回り開口とが形成される。例えば特許文献１には、２組の一対のファスニングテープのうち股下側のファスニングテープがウェスト側に向って傾斜して係止され、ウェスト側のファスニングテープが股下側に向って傾斜して係止されるように、矢印型の案内テープが設けられた展開型おむつが開示されている。このような展開型おむつによれば、脚回り開口からの排泄物の漏れが抑制されるようにファスニングテープが係止される。
【先行技術文献】
【特許文献】
【０００３】
【特許文献１】特開２００６−６８２８１号公報
【発明の概要】
【発明が解決しようとする課題】
【０００４】
しかし、ファスニングテープの係止の向きが適切であっても、その前段階において展開型おむつが着用者の適切な位置に合わされていないと、脚回り開口に隙間が生じ、排泄物が漏れてしまう。つまり、脚回り開口からの漏れが抑制されるように展開型おむつが適切に装着される点について、未だ課題が残っている。
本発明は、上記のような問題に鑑みてなされたものであり、脚回り開口からの漏れが抑制されるように適切に装着される展開型おむつ、及び、脚回り開口からの漏れが抑制される展開型おむつの装着方法の説明方法を提供することを目的とする。
【課題を解決するための手段】
【０００５】
上記目的を達成するための主たる発明は、長手方向と幅方向と厚さ方向とを有し、後胴回り部と股下部と前胴回り部とが前記長手方向に並び、前記後胴回り部から前記幅方向の両外側に延出する一対のファスニングテープを前記前胴回り部に係止することによって、一つの胴回り開口と一対の脚回り開口とが形成される展開型おむつであって、前記幅方向の両外側の部位に、前記長手方向に伸縮可能な一対の脚回り伸縮部を有し、前記長手方向の前記前胴回り部側の部位に、前記厚さ方向の肌側から視認可能な第１目印領域及び第２目印領域を有するとともに、前記厚さ方向の非肌側から視認可能な第３目印領域及び第４目印領域を有し、前記第１目印領域は前記幅方向の一方側に位置し、前記第２目印領域は前記幅方向の他方側に位置し、前記第１目印領域及び前記第２目印領域は、装着時におむつの非肌側面が凸となるように装着者が近づけるべき領域であり、前記第３目印領域は、前記幅方向の一方側の前記脚回り伸縮部のうち前記長手方向の前記前胴回り部側の端近傍に位置し、前記第４目印領域は、前記幅方向の他方側の前記脚回り伸縮部のうち前記長手方向の前記前胴回り部側の端近傍に位置し、前記第３目印領域及び前記第４目印領域は、装着時に装着者が指を接触させるべき領域であることを特徴とする展開型おむつである。  本発明の他の特徴については、本明細書及び添付図面の記載により明らかにする。
【発明の効果】
【０００６】
本発明によれば、脚回り開口からの漏れが抑制されるように適切に装着される展開型おむつ、及び、脚回り開口からの漏れが抑制される展開型おむつの装着方法の説明方法を提供することができる。
【図面の簡単な説明】
【０００７】
【図１】展開型おむつの構成を説明する平面図である。
【図２】展開型おむつの構成を説明する断面図である。
【図３】おむつの肌側から視認可能な装着時の目印の説明図である。
【図４】おむつの非肌側から視認可能な装着時の目印の説明図である。
【図５】着用者の臀部の下におむつを敷き込んだ状態の図である。
【図６】おむつを着用者の腹部に合わせる時の図である。
【図７】おむつを着用者の腹部に合わせる時の図である。
【図８】前胴回り部の幅方向の端部を着用者の脇腹に沿わせる時の図である。
【図９】ファスニングテープを係止する時の図である。
【図１０】ファスニングテープを係止した状態の図である。
【図１１】図１１Ａ及び図１１Ｂは第１目印領域及び第２目印領域の変形例の説明図である。
【図１２】図１２Ａから図１２Ｃは第７目印領域の変形例の説明図である。
【発明を実施するための形態】
【０００８】
本明細書及び添付図面の記載により、少なくとも以下の事項が明らかとなる。
【０００９】
長手方向と幅方向と厚さ方向とを有し、後胴回り部と股下部と前胴回り部とが前記長手方向に並び、前記後胴回り部から前記幅方向の両外側に延出する一対のファスニングテープを前記前胴回り部に係止することによって、一つの胴回り開口と一対の脚回り開口とが形成される展開型おむつであって、前記幅方向の両外側の部位に、前記長手方向に伸縮可能な一対の脚回り伸縮部を有し、前記長手方向の前記前胴回り部側の部位に、前記厚さ方向の肌側から視認可能な第１目印領域及び第２目印領域を有するとともに、前記厚さ方向の非肌側から視認可能な第３目印領域及び第４目印領域を有し、前記第１目印領域は前記幅方向の一方側に位置し、前記第２目印領域は前記幅方向の他方側に位置し、前記第１目印領域及び前記第２目印領域は、装着時におむつの非肌側面が凸となるように装着者が近づけるべき領域であり、前記第３目印領域は、前記幅方向の一方側の前記脚回り伸縮部のうち前記長手方向の前記前胴回り部側の端近傍に位置し、前記第４目印領域は、前記幅方向の他方側の前記脚回り伸縮部のうち前記長手方向の前記前胴回り部側の端近傍に位置し、前記第３目印領域及び前記第４目印領域は、装着時に装着者が指を接触させるべき領域であることを特徴とする展開型おむつである。
このような展開型おむつによれば、装着者がおむつを着用者の腹部に合わせる際に、第１目印領域と第２目印領域とが近づけられ、おむつの幅が着用者の股間部の幅に合うため、脚回り伸縮部を着用者の脚の付け根に沿わせることができる。また、装着者が前胴回り部の幅方向の端部を着用者の脇腹に沿わせる際に、第３目印領域及び第４目印領域が装着者に持たれるため、脚回り伸縮部の全域を着用者の脚の付け根に沿わせつつ伸長させることができる。したがって、脚回り伸縮部が着用者の脚の付け根にフィットし、脚回り開口からの漏れを抑制できる。
【００１０】
かかる展開型おむつであって、前記第１目印領域及び第２目印領域は、前記長手方向に長いライン状の領域であることを特徴とする展開型おむつである。
このような展開型おむつによれば、装着者がおむつを着用者の腹部に合わせる際に、おむつの前胴回り部側の部位を長手方向の広い範囲に亘って幅方向に折ることができる。したがって、より確実に、おむつの幅を着用者の股間部の幅に合わせながらおむつを着用者の腹部に合わせることができ、脚回り伸縮部を着用者の脚の付け根に沿わせることができる。
【００１１】
かかる展開型おむつであって、液透過性のトップシートと液不透過性のバックシートとの間に吸収体コアが設けられた本体部を有するとともに、前記幅方向の両外側の部位であり、前記一対の脚回り伸縮部よりも前記幅方向の内側の部位に、前記本体部から前記厚さ方向の肌側に起立する一対の防漏壁部を有し、前記第１目印領域及び前記第２目印領域がそれぞれ、前記幅方向において、前記防漏壁部と前記厚さ方向に重なる領域に位置することを特徴とする展開型おむつである。
このような展開型おむつによれば、第１目印領域と第２目印領域との幅方向の間隔が狭過ぎたり広過ぎたりしないため、おむつの幅を着用者の股間部の幅に合わせながら、おむつを長手方向に二つ折りし、おむつを着用者の腹部に合わせることができる。また、一対の防漏壁部が近づけられることになるので、防漏壁部が起立し、それにつられて脚回り伸縮部が幅方向の内側に入り込む。そのため、脚回り伸縮部が着用者の脚の付け根に一層沿い易くなる。また、防漏壁部が起立することで、防漏壁部が着用者の脚の付け根や股間部に沿い、脚回り開口からの漏れを一層抑制できる。
【００１２】
かかる展開型おむつであって、前記防漏壁部の前記長手方向の端部は着色された接着剤で前記本体部に接着され、前記第１目印領域及び前記第２目印領域が、前記着色された接着剤によって形成された領域であることを特徴とする展開型おむつである。
このような展開型おむつによれば、例えば防漏壁部と本体部の接着工程とは別に第１目印領域及び第２目印領域の着色工程を設ける場合に比べて、おむつの製造が容易になる。また、防漏壁部の長手方向の固定位置と第１，第２目印領域とが一致する。そのため、第１目印領域と第２目印領域とが近づけられながら、おむつが着用者の腹部に合わされる際に、防漏壁部がより確実に起立する。よって、防漏壁部の起立につられて脚回り伸縮部が幅方向の内側に入り込み、脚回り伸縮部が着用者の脚の付け根に一層沿い易くなる。また、防漏壁部が起立することで、防漏壁部が着用者の脚の付け根や股間部に沿い、脚回り開口からの漏れを一層抑制できる。
【００１３】
かかる展開型おむつであって、前記第１目印領域及び前記第２目印領域が、エンボスパターンによって形成された領域であることを特徴とする展開型おむつである。
このような展開型おむつによれば、装着者がおむつを着用者の腹部に合わせる際に、第１目印領域と第２目印領域とが近づけられ、おむつの幅が着用者の股間部の幅に合うため、脚回り伸縮部を着用者の脚の付け根に沿わせることができる。
【００１４】
かかる展開型おむつであって、液透過性のトップシートと液不透過性のバックシートとの間に吸収体コアが設けられた本体部を有し、前記第１目印領域及び前記第２目印領域が、前記幅方向において、前記吸収体コアと前記厚さ方向に重なる領域に位置することを特徴とする展開型おむつである。
このような展開型おむつによれば、吸収体コアが存在する剛性の高い部位が近づけられることになるため、おむつの前胴回り部側の部位を幅方向に折り易くなり、且つ、安定して折ることができる。
【００１５】
かかる展開型おむつであって、前記吸収体コアの幅が最も狭い部位よりも、前記第１目印領域及び前記第２目印領域の方が、前記幅方向の外側に位置することを特徴とする展開型おむつある。
このような展開型おむつによれば、第１目印領域と第２目印領域との幅方向の間隔が狭過ぎず、おむつの幅を着用者の股間部の幅に合わせながらおむつを着用者の腹部に合わせることができる。
【００１６】
かかる展開型おむつであって、前記第３目印領域及び前記第４目印領域が、着色によって形成された領域であることを特徴とする展開型おむつである。
このような展開型おむつによれば、装着者が前胴回り部の幅方向の端部を着用者の脇腹に沿わせる際に、第３目印領域及び第４目印領域が装着者に持たれるため、脚回り伸縮部の全域を着用者の脚の付け根に沿わせつつ伸長させることができる。
【００１７】
かかる展開型おむつであって、前記第３目印領域の近傍に位置し、前記厚さ方向の非肌側から視認可能であり、前記第３目印領域とは異なる色の第５目印領域と、前記第４目印領域の近傍に位置し、前記厚さ方向の非肌側から視認可能であり、前記第４目印領域とは異なる色の第６目印領域とを有することを特徴とする展開型おむつである。
このような展開型おむつによれば、装着者がファスニングテープ係止のために左右の手を入れ替える際に、第５目印領域及び第６目印領域に指を接触させていることで、脚回り伸縮部を着用者の脚の付け根に沿わせて伸長させた状態を保持でき、その状態でファスニングテープを係止できる。
【００１８】
かかる展開型おむつであって、前記第３目印領域の近傍に位置し、前記厚さ方向の非肌側から視認可能であり、前記第３目印領域とは異なる大きさの第５目印領域と、前記第４目印領域の近傍に位置し、前記厚さ方向の非肌側から視認可能であり、前記第４目印領域とは異なる大きさの第６目印領域とを有することを特徴とする展開型おむつである。
このような展開型おむつによれば、装着者がファスニングテープ係止のために左右の手を入れ替える際に、第５目印領域及び第６目印領域に指を接触させていることで、脚回り伸縮部を着用者の脚の付け根に沿わせて伸長させた状態を保持でき、その状態でファスニングテープを係止できる。
【００１９】
かかる展開型おむつであって、前記第３目印領域と前記第５目印領域の少なくとも一方と、前記第４目印領域と前記第６目印領域の少なくとも一方とが、前記脚回り伸縮部と前記厚さ方向に重なる領域に位置することを特徴とする展開型おむつである。
このような展開型おむつによれば、脚回り伸縮部の全域を着用者の脚の付け根に沿わせて伸長させ易くなり、また、その伸長状態を保持し易くなる。
【００２０】
かかる展開型おむつであって、前記長手方向の前記前胴回り部側の部位のうち前記幅方向の両外側に位置し、前記厚さ方向の非肌側から視認可能な一対の第７目印領域を有し、前記一対の第７目印領域はそれぞれ、前記脚回り伸縮部に沿う部位と、前記脚回り伸縮部の長手方向の端近傍からおむつの前記幅方向の端部に向かう部位とを有することを特徴とする展開型おむつである。
このような展開型おむつによれば、脚回り伸縮部を着用者の脚の付け根に沿わせ易くなるとともに、脚回り伸縮部が着用者の脚の付け根に沿っていることを確認できる。また、脚回り伸縮部の長手方向の端近傍からおむつの幅方向の端部に向かう部位が、脚回り伸縮部の長手方向の後胴回り部側の端部と交差していることを確認することで、脚回り開口が大き過ぎないことを確認でき、脚回り開口からの漏れを一層抑制できる。
【００２１】
かかる展開型おむつであって、前記長手方向の前記後胴回り部側の部位に、前記厚さ方向の肌側から視認可能な第８目印領域を有し、前記第８目印領域は、装着時に、着用者に対するおむつの敷き込み位置の目印となる領域であることを特徴とする展開型おむつである。
このような展開型おむつによれば、脚回り伸縮部を着用者の脚の付け根に対して適切に位置合わせでき、脚回り伸縮部を着用者の脚の付け根に沿わせ易くなる。
【００２２】
また、長手方向と幅方向と厚さ方向とを有し、後胴回り部と股下部と前胴回り部とが前記長手方向に並び、前記後胴回り部から前記幅方向の両外側に延出する一対のファスニングテープを前記前胴回り部に係止することによって、一つの胴回り開口と一対の脚回り開口とが形成され、前記幅方向の両外側の部位に前記長手方向に伸縮可能な一対の脚回り伸縮部を有する展開型おむつの装着方法の説明方法であって、前記厚さ方向の肌側から視認可能な第１目印領域が、前記長手方向の前記前胴回り部側の部位のうち前記幅方向の一方側に位置し、前記厚さ方向の肌側から視認可能な第２目印領域が、前記長手方向の前記前胴回り部側の部位のうち前記幅方向の他方側に位置することを示すことと、前記厚さ方向の非肌側から視認可能な第３目印領域が、前記長手方向の前記前胴回り部側の部位のうち、前記幅方向の一方側の前記脚回り伸縮部の前記長手方向の端近傍に位置し、前記厚さ方向の非肌側から視認可能な第４目印領域が、前記長手方向の前記前胴回り部側の部位のうち、前記幅方向の他方側の前記脚回り伸縮部の前記長手方向の端近傍に位置することを示すことと、装着時に、おむつの非肌側面が凸となるように前記第１目印領域と前記第２目印領域とを近づけることを、装着者に説明することと、装着時に、前記第３目印領域と前記第４目印領域とに指を接触させることを、装着者に説明することと、を有することを特徴とする展開型おむつの装着方法の説明方法である。
このような展開型おむつの装着方法の説明方法によれば、装着者が、脚回り開口からの漏れが抑制されるようにおむつを装着できるようになる。
【００２３】
＝＝＝展開型おむつの基本構成＝＝＝
図１は展開型おむつ１の構成を説明する平面図であり、展開型おむつ１が展開され且つ伸長した状態の図である。図２は展開型おむつ１の構成を説明する断面図である。展開型おむつ１（以下、おむつ）は、互いに直交する長手方向と幅方向と厚さ方向とを有し、着用者の背側部を覆う後胴回り部１ａと、股下部１ｂと、着用者の腹側部を覆う前胴回り部１ｃとが長手方向に並ぶ。なお、長手方向において後胴回り部１ａ側を後側、前胴回り部１ｃ側を前側と呼び、厚さ方向において着用者に接触する側を肌側、その逆側を非肌側と呼ぶ。
【００２４】
おむつ１は、液透過性のトップシート２（例えば不織布）と、液不透過性のバックシート３（例えば樹脂フィルム）との間に、吸収体４が設けられた本体部１’を有する。吸収体４は、後胴回り部１ａから前胴回り部１ｃまで長手方向に延び、排泄物を吸収保持する吸収体コア４１（例えば粉砕パルプや高吸収ポリマーで構成されるもの）と、それを被覆する液透過性の被覆材４２（例えばティッシュシートや不織布）とを有する。本実施形態では、吸収体４の平面形状を長方形とし、吸収体コア４１の平面形状を長手方向の中央部がくびれた砂時計形状とする。また、バックシート３の非肌側には、おむつ１の外形を成す外装シート５（例えば不織布）が設けられている。バックシート３と外装シート５は同一形状である。また、図示しないが、胴回りのフィット性を向上させるために、後胴回り部１ａや前胴回り部１ｃに、幅方向に伸縮可能な伸縮性部材（例えば伸縮性不織布や糸ゴム）が設けられているとよい。
【００２５】
股下部１ｂには、バックシート３と吸収体４との間にクロッチ伸縮性シート６（例えば伸縮性フィルムや伸縮性不織布）が設けられている。クロッチ伸縮性シート６が設けられた部位は、吸収体４が縮むため、平坦な形状が維持され易い。また、クロッチ伸縮性シート６と重なる吸収体コア４１の部位には、幅方向に対向する一対の切欠き４３が長手方向に２組並んで設けられている。この切欠き４３により、後胴回り部１ａと前胴回り部１ｃとが平坦な股下部１ｂから立ち上がり易くなる。よって、おむつ１は、着用者の身体の形状に近づき、着用者にフィットし易くなる。
【００２６】
後胴回り部１ａには、幅方向の両外側に延出する一対のファスニングテープ７が設けられている。ファスニングテープ７にはフックシート７ａ（例えば面ファスナーの雄材を備えるシート）が設けられ、フックシート７ａは、外装シート５に設けられたターゲットシート８（後述の図４参照、例えば面ファスナーの雌材を備えるシートや不織布）に着脱可能となっている。そして、一対のファスニングテープ７がターゲットシート８（つまり前胴回り部１ｃの非肌側面）に係止されることによって、一つの胴回り開口ＷＨと一対の脚回り開口ＬＨとが形成される（後述の図１０参照）。
【００２７】
おむつ１の幅方向の両側端は長手方向の中央部がくびれており、そのくびれた部位が脚回り開口ＬＨを形成する。そして、おむつ１の幅方向の両外側の部位には、長手方向に沿って一対の脚回り伸縮性シート９（例えば伸縮性フィルムや伸縮性不織布）が設けられている。脚回り伸縮性シート９は、おむつ１の長手方向に伸長した状態で、バックシート３と防漏壁シート２１（後述）との間に固定されている。そのため、自然状態のおむつ１では、脚回り開口ＬＨを形成する幅方向の両側部が長手方向に伸縮可能なる。この長手方向に伸縮可能な部位を脚回り伸縮部１０と呼び、脚回り伸縮部１０によって、おむつ１は着用者の脚にフィットし、脚回り開口ＬＨからの排泄物の漏れを抑制できる。
【００２８】
なお、伸縮性シート９が設けられた部位のうち長手方向に伸縮可能な部位が脚回り伸縮部１０であり、伸縮性シート９が設けられた部位であっても伸縮力が発現されない部位は脚回り伸縮部１０に該当しないとする。図面には、伸縮性シート９が設けられた部位のうち伸縮力が発現する部位のみ記載する。また、伸縮性シート９の代わりに、糸状伸縮性部材（例えば糸状のポリウレタン伸縮性繊維や糸状の天然ゴム）を一本又は幅方向に間隔を空けて複数本設け、糸状伸縮性部材が設けられた部位のうち長手方向に伸縮可能な部位を脚回り伸縮部としてもよい。
【００２９】
また、おむつ１の幅方向の両側部には、トップシート２よりも肌側に、一対の防漏壁シート２１が設けられている。図２に示すように、防漏壁シート２１の幅方向内側の端部は非肌側に折り込まれている。そうして２層となった防漏壁シート２１の間では、防漏壁用の伸縮性部材２２が長手方向に伸長した状態で固定されている。また、図１に示すように、防漏壁シート２１は第１接合部２３及び第２接合部２４にて接着剤によりトップシート２又はおむつ本体部に接合されている。第１接合部２３は、防漏壁シート２１の長手方向の両端部であり、第２接合部２４よりも幅方向の内側に設けられている。本実施形態では、防漏壁シート２１の長手方向の各端部において３つの第１接合部２３が幅方向に並んでいる。第２接合部２４は、防漏壁シート２１の長手方向の一端から他端まで延びている。そのため、防漏壁用の伸縮性部材２２の収縮力により、おむつ１が肌側面を内側にして湾曲するとともに、第１接合部２３間の防漏壁用シート２１が第２接合部２４を起立点として厚さ方向の肌側に起立する。
【００３０】
上記のように、おむつ１には、幅方向の両外側の部位であり一対の脚回り伸縮部１０よりも幅方向の内側の部位に、トップシート２（本体部１’）から厚さ方向の肌側に起立する一対の防漏壁部２０が設けられている。防漏壁部２０により排泄物が堰き止められ、脚回り開口ＬＨからの排泄物の漏れを抑制できる。なお、幅方向において、第２接合部２４の幅方向内側の端から防漏壁シート２１の幅方向内側の端までの区間を、防漏壁部２０とする。
【００３１】
＝＝＝装着時の目印＝＝＝
図３はおむつ１の肌側から視認可能な装着時の目印の説明図であり、図４はおむつ１の非肌側から視認可能な装着時の目印の説明図である。本実施形態のおむつ１は、図３に示すように、幅方向に長いライン状の目印が形成された第８目印領域３８と、長手方向に長いライン状の目印が形成された第１目印領域３１及び第２目印領域３２と、図４に示すように、楕円形状の目印が形成された第３目印領域３３及び第４目印領域３４と、円形状の目印が形成された第５目印領域３５及び第６目印領域３６と、脚回り開口ＬＨに沿うライン状の目印が形成された一対の第７目印領域３７とを有する。
【００３２】
第８目印領域３８は、装着時に、着用者に対するおむつ１の敷き込み位置の目印となる領域であり、厚さ方向の肌側から視認可能な着色領域である。第８目印領域３８は、おむつ１の長手方向の中央ＣＬ１よりも後側の部位に設けられている。具体的には、おむつ１の長手方向の中央ＣＬ１よりも２５ｍｍから８０ｍｍの範囲の長さだけ長手方向の後側に第８目印領域３８を設けるとよく、例えば、伸長状態であるおむつ１の長手方向の製品長が４００ｍｍである場合、おむつ１の長手方向の中央ＣＬ１よりも３５ｍｍだけ長手方向の後側に第８目印領域３８を設けるとよい。また、股下部１ｂを平坦な形状にするクロッチ伸縮性シート６が設けられたおむつ１の場合、クロッチ伸縮性シート６よりも長手方向の後側に第８目印領域３８を設けるとよい。
【００３３】
本実施形態では、第８目印領域３８の目印が、吸収体４の被覆材４２に印刷され、トップシート２を介して視認されるとする。よって、第８目印領域３８は、トップシート２及び吸収体４の被覆材４２とは異なる色に着色された領域とする。更に、トップシート２と共におむつ１の肌側面を構成する防漏壁シート２１とも異なる色に第８目印領域３８が着色されていることが好ましい。例えばトップシート２等が白色である場合、第８目印領域３８を青色、赤色、緑色等に着色するとよい。
【００３４】
第８目印領域３８の幅（即ち、おむつ１の長手方向の長さ）は、おむつ１の装着者に認識されるように１ｍｍ以上、好ましくは３ｍｍ以上であるとよく、且つ、おむつ１の敷き込み位置に大きな差が生じないように２０ｍｍ以下、好ましくは１０ｍｍ以下であるとよい。また、本実施形態では、第８目印領域３８がおむつ１の幅方向の中央部に設けられ、第８目印領域３８は、長手方向（即ち、おむつ１の幅方向）の両端が防漏壁部２０と重なる位置まで延びている。なお、第８目印領域３８の長さが上記よりも短くても長くてもよい。
【００３５】
また、第８目印領域３８の目印を例えば防漏壁シート２１に印刷してもよく、この場合、第８目印領域３８がおむつ１の幅方向の端部に位置することになる。また、第８目印領域３８の目印を例えばトップシート２に印刷してもよいが、吸収体４の被覆材４２に印刷する方が、印刷部位が着用者に直接接触することがなく衛生的である。その他、第８目印領域３８の目印を例えばバックシート３に印刷してもよい。なお、第８目印領域３８は、実線ではなく例えば点線でもよく、またラインに限らず、例えば三角形や星形や動物のイラスト等であってもよい。
【００３６】
第１目印領域３１及び第２目印領域３２（以下、第１第２目印領域３１，３２とも記述する）は、おむつ１の装着時に、おむつ１が着用者の腹部に合うように長手方向に二つ折りされる際に、おむつ１の非肌側面が凸となるように近づけられるべき領域であり、厚さ方向の肌側から視認可能な着色領域である。第１第２目印領域３１，３２は、おむつ１の長手方向の中央ＣＬ１よりも前側の部位に設けられている。また、おむつ１の幅方向の中央ＣＬ２に対して幅方向の一方側（例えば左側）に第１目印領域３１が設けられ、幅方向の他方側（例えば右側）に第２目印領域３２が設けられている。
【００３７】
本実施形態では、一対の防漏壁部２０（防漏壁シート２１）の長手方向前側の端部を本体部１’（トップシート２）に接合する六つの第１接合部２３のうち、幅方向内側の一対の第１接合部２３ａ（図１参照）が、着色された接着剤で接着され、それ以外の第１接合部２３ｂ及び第２接合部２４が無色の接着剤で接合されるとする。そして、第１接合部２３ａの着色された接着剤を第１第２目印領域３１，３２の目印とし、第１第２目印領域３１，３２の目印が防漏壁シート２１を介して視認されるとする。よって、第１第２目印領域３１，３２は、防漏壁シート２１とは異なる色に着色された領域とし、更にトップシート２とも異なる色に着色されていることが好ましい。例えば防漏壁シート２１等が白色である場合、第１第２目印領域３１，３２を青色、赤色、緑色等に着色するとよい。
【００３８】
上記のように、着色された接着剤によって第１第２目印領域３１，３２を形成することで、防漏壁部２０と本体部１’の接着工程と、第１第２目印領域３１，３２の着色工程とを共通化できる。よって、接着工程と着色工程を別に設ける場合に比べて、おむつ１の製造が容易になる。なお、第１第２目印領域３１，３２を形成する第１接合部２３ａ以外の第１接合部２３ｂ、及び、第２接合部２４の接着剤の色は、第１第２目印領域３１，３２と異なる色であればよく、無色に限らない。また、例えば防漏壁シート２１に目印を印刷することで第１第２目印領域３１，３２を形成してもよい。
【００３９】
第１第２目印領域３１，３２の幅（即ち、おむつ１の幅方向の長さ）は、１ｍｍ以上４０ｍｍ以下、好ましくは５ｍｍ以上２５ｍｍ以下であるとよい。また、第１第２目印領域３１，３２の長さ（即ち、おむつ１の長手方向の長さ）は、装着者に認識されるように５ｍｍ以上あればよい。なお、第１第２目印領域３１，３２は、実線ではなく、例えば点線でもよく、また、ラインに限らず、例えば三角形や星形や動物のイラスト等であってもよい。
【００４０】
また、第１第２目印領域３１，３２を着色によって形成するに限らず、視認可能なエンボスパターンによって形成してもよい。エンボスとは、おむつ１を構成するシート（例えば防漏壁シート２１）の繊維が周囲の部位に比べて厚さ方向に圧縮されている凹部である。エンボスパターンとしては、例えば、１〜３ｍｍ程度のドットや花の形の複数のエンボスが長手方向に並んだエンボスの列が、幅方向に複数並んだパターンが挙げられる。このようなエンボスパターンが施された領域を第１第２目印領域３１，３２とする。また、おむつ１を構成するシートの繊維を一部除去して一つ又は複数の開孔をシートに形成し、その視認可能な開孔パターンによって第１第２目印領域３１，３２を形成してもよい。
【００４１】
第３目印領域３３及び第４目印領域３４（以下、第３第４目印領域３３，３４とも記述する）は、厚さ方向の非肌側から視認可能な着色領域であり、おむつ１の長手方向の中央ＣＬ１よりも前側の部位に設けられている。第３目印領域３３は、幅方向の一方側（例えば左側）の脚回り伸縮部１０のうち長手方向の前側の端１０ａ近傍に設けられ、第４目印領域３４は、幅方向の他方側（例えば右側）の脚回り伸縮部１０のうち長手方向の前側の端１０ａ近傍に設けられている。脚回り伸縮部の端１０ａ近傍に第３第４目印領域３３，３４を設けるとは、図３に示すように、前記端１０ａにおける幅方向内側の基準点１０ｂから幅方向の外側に延びる仮想線Ｌ１と、前記基準点１０ｂから長手方向の外側に延びる仮想線Ｌ２と、おむつ１の外形線Ｌ３とで囲われる領域のうち、基準点１０ｂ側の領域（斜線の領域）に、第３第４目印領域３３，３４の少なくとも一部を設けるということである。本実施形態の第３第４目印領域３３，３４は、図４に示すように、第７目印領域３７のライン上に設けられ、脚回り伸縮部１０よりも長手方向の前側に設けられている。
【００４２】
また、第３第４目印領域３３，３４は、おむつ１の装着時に、前胴回り部１ｃの幅方向の端部１ｄ（以下、腹側フラップ部とも呼ぶ）が着用者の脇腹に沿わされる際に、装着者が指を接触させるべき領域である。つまり、腹側フラップ部１ｄを持つ手の指の位置を示す領域である。
【００４３】
第５目印領域３５及び第６目印領域３６（以下、第５第６目印領域３５，３６とも記述する）は、厚さ方向の非肌側から視認可能な着色領域である。第５目印領域３５は幅方向の一方側（例えば左側）の第３目印領域３３の近傍に設けられ、第６目印領域３６は幅方向の他方側（例えば右側）の第４目印領域３４の近傍に設けられている。本実施形態の第５第６目印領域３５，３６は、第３第４目印領域３３，３４よりも長手方向の内側に、第３第４目印領域３３，３４に隣接して設けられ、且つ、脚回り伸縮部１０と厚さ方向に重なって設けられている。なお、第３第４目印領域３３，３４と間隔を空けて第５第６目印領域３５，３６が設けられていてもよい。
【００４４】
第５第６目印領域３５，３６は、ファスニングテープ７の係止時に、装着者がファスニングテープ７を持つ手とは逆の手の指を接触させるべき領域である。つまり、装着者が腹側フラップ部１ｄを押さえる手の指の位置を示す領域である。また、第５第６目印領域３５，３６は、第３第４目印領域３３，３４とは異なる円形状であり、第３第４目印領域３３，３４よりも小さい。また、第５第６目印領域３５，３６は、第３第４目印領域３３，３４とは異なる色に着色された領域とする。
【００４５】
上記のように第３第４目印領域３３，３４、及び、第５第６目印領域３５，３６は、装着者が指を接触させるべき領域であるため、幅方向及び長手方向の長さを１０ｍｍ〜２０ｍｍ程度にするとよい。また、第３第４目印領域３３，３４、及び、第５第６目印領域３５，３６を、楕円や円形状にすることで、第３第４目印領域３３，３４、及び、第５第６目印領域３５，３６が、腹側フラップ部１ｄの持ち手の指の位置であることを、装着者は感覚的に認識できる。更に、第３第４目印領域３３，３４は、装着者が腹側フラップ部１ｄを持つ手の向きに合わせて、長手方向前側の部位が幅方向の内側に傾斜しているため、持ち手の指の位置であることを装着者によって認識され易い。換言すると、第３第４目印領域３３，３４を楕円にすることで、持ち手の指の向きを指定できる。その結果、装着者が腹側フラップ部１ｄを脚の付け根に沿わせて引っ張り易くなる。
【００４６】
但し上記に限らず、第３第４目印領域３３，３４、及び、第５第６目印領域３５，３６が、例えば三角形や星形や動物のイラスト等であってもよい。また、第３第４目印領域３３，３４、及び、第５第６目印領域３５，３６を、着色によって形成するに限らず、視認可能なエンボスパターンによって形成してもよい。
【００４７】
一対の第７目印領域３７は、装着時に、脚回り伸縮部１０を着用者の脚の付け根に沿わせるための目印となる領域であり、厚さ方向の非肌側から視認可能な着色領域である。一対の第７目印領域３７は幅方向の両外側に位置する。そして、一対の第７目印領域３７はそれぞれ、脚回り伸縮部１０に沿う部位と、脚回り伸縮部１０の長手方向の前側の端１０ａ近傍から前胴回り部１ｃの幅方向の側端１ｅまで延びる部位と、脚回り伸縮部１０の長手方向の後側の端１０ｃ近傍から後胴回り部１ａの幅方向の側端１ｆまで延びる部位とを有する。
【００４８】
本実施形態では、脚回り伸縮部１０に沿う部位が、脚回り伸縮部１０の長手方向と平行なライン形状であり、脚回り伸縮部１０と厚さ方向に重なる。但しこれに限らず、脚回り伸縮部１０に沿う部位は、脚回り伸縮部１０の長手方向に延びていればよく、脚回り伸縮部１０の長手方向に対して傾斜していたり湾曲していたりしてもよく、また、脚回り伸縮部１０と厚さ方向に重ならなくてもよい。また、第７目印領域３７が、脚回り伸縮部１０の長手方向の端１０ａ，１０ｃ近傍からおむつ１の側端１ｅ，１ｆまで延びるに限らず、おむつ１の幅方向の端部に向って延びていればよい。
【００４９】
また、本実施形態のおむつ１では、サイズやイラストやファスニングテープ７の係止位置の目印等がバックシート３に印刷されるとする。そして、第３第４目印領域３３，３４、第５第６目印領域３５，３６、及び第７目印領域３７の各目印も、バックシート３に印刷され、外装シート５を介して視認されるとする。よって、第３第４目印領域３３，３４、第５第６目印領域３５，３６、及び第７目印領域３７は、バックシート３の地色及び外装シート５の地色とは異なる色に着色された領域とする。例えばバックシート３等の地色が白色である場合、第３第４目印領域３３，３４、第５第６目印領域３５，３６、及び第７目印領域３７を青色、赤色、緑色等に着色するとよい。このように第３第４目印領域３３，３４、第５第６目印領域３５，３６、及び第７目印領域３７の各目印をバックシート３に印刷することで、別のシートに印刷する場合に比べて印刷を行うシート数が減り、おむつ１の製造を容易にできる。また、第３第４目印領域３３，３４等を例えば外装シート５に印刷してもよいがバックシート３に印刷する方が、綺麗に印刷でき、印刷の剥がれも防止できる。
【００５０】
なお、第８目印領域３８及び第１第２目印領域３１，３２は非肌側から視認不可能であることが好ましく、第３第４目印領域３３，３４、第５第６目印領域３５，３６、及び第７目印領域３７は肌側から視認不可能であることが好ましい。そうすることで、装着者が混乱することなく各目印領域３１〜３８を利用でき、見た目の煩雑さもなくなる。
【００５１】
次に、第１〜第８目印領域３１〜３８を有するおむつ１の装着方法について説明する。
図５は、着用者の臀部の下におむつ１を敷き込んだ状態の図である。図６及び図７は、おむつ１を着用者の腹部に合わせる時の図である。図８は、おむつ１の前胴回り部１ｃの幅方向の端部を着用者の脇腹に沿わせる時の図である。図９は、ファスニングテープ７を係止する時の図である。図１０は、ファスニングテープ７を係止した状態の図である。
【００５２】
まず、おむつ１の装着者（お母さんや介護者等）は、おむつ１の着用者（赤ちゃんや老人等）の臀部の下におむつ１を敷き込む。この時、装着者は、図５に示すように、着用者の臀部と脚の境界部をおむつ１の第８目印領域３８に合わせる。
【００５３】
そうすることで、おむつ１の後胴回り部１ａ、股下部１ｂ、及び前胴回り部１ｃを着用者に対して適切に位置に合わせできる。よって、着用者の臀部や腹部をおむつ１でしっかりと覆うことができ、胴回り開口ＷＨからの漏れを抑制できる。また、脚回り伸縮部１０も着用者の脚の付け根に対して適切に位置合わせでき、脚回り伸縮部１０を着用者の脚の付け根に沿わせ易くなる。よって、脚回り伸縮部１０が着用者の脚の付け根に隙間なくフィットし、脚回り開口ＬＨからの漏れを抑制できる。また、脚回り伸縮部１０を着用者の脚の付け根にフィットさせることで、着用者が脚を動かしても、おむつ１がずれ難くなる。
【００５４】
次に、装着者は、おむつ１の前胴回り部１ｃが着用者の腹部に合うように、おむつ１を長手方向に二つ折りする。この時、装着者は、図６及び図７に示すように、おむつ１の非肌側面１Ａが凸となるように第１目印領域３１と第２目印領域３２とを近付ける。具体的には、第１目印領域３１と第２目印領域３２とを隣接させたり、対向させたり、当接させたりする。そうすることで、おむつ１の長手方向の前側の部位が肌側面を内側にして幅方向に折られる。
【００５５】
おむつ１の幅は着用者の股下部の幅よりも広い。そのため、単におむつ１を長手方向に二つ折りするだけでは、脚の付け根よりも下方の脚の細い部位に脚回り伸縮部１０が当接してしまう。そうすると、脚回り開口ＬＨに隙間が生じ、脚回り開口ＬＨから排泄物が漏れてしまう。そこで、おむつ１を長手方向に二つ折りする際に、上記のように第１目印領域３１と第２目印領域３２とを近づけておむつ１の幅を狭めることで、おむつ１の幅を着用者の股間部の幅に合わせることができ、脚回り伸縮部１０を着用者の脚の付け根に沿わせることができる。よって、脚回り伸縮部１０が着用者の脚の付け根に隙間なくフィットし、脚回り開口ＬＨからの漏れを抑制できる。また、第１目印領域３１と第２目印領域３２とを近づけることで、防漏壁部２０を立たせながら装着できるので、防漏壁部２０により排泄物が漏れ難くなる。また、装着者が防漏壁部２０を認識でき、装着者に安心感を付与できる。
【００５６】
次に、装着者は、幅方向左側の腹側フラップ部１ｄを着用者の脇腹に沿わせる。この時、装着者は、図８に示すように、左手の指（例えば親指）が幅方向左側の第３目印領域３３に接触するように（詳しくは外装シート５における第３目印領域３３に接触するように）、腹側フラップ部１ｄを持つ。また、脚回り伸縮部１０が着用者の脚の付け根に沿うように、装着者は、円を描くようにして第７目印領域３７を着用者の脚の付け根に入り込ませる。また、この時、装着者は、幅方向左側の第５目印領域３５を着用者の脚の付け根の上部（Ｖラインの上部）に位置合わせし、更に第５目印領域３５を着用者の脚の付け根に押し当てつつ腹側フラップ部１ｄを着用者の脚に引っ掛けるようにする。
【００５７】
このように、脚回り伸縮部１０の端１０ａ近傍の第３目印領域３３（又は第４目印領域３４）が装着者に持たれることで、脚回り伸縮部１０の全域を着用者の脚の付け根に沿わせつつ、脚回り伸縮部１０を着用者の脇腹付近まで伸長させることができる。また、おむつ１に第７目印領域３７が設けられていることで、装着者は、脚回り伸縮部１０を意識でき、脚回り伸縮部１０を着用者の脚の付け根に沿わせ易くなる。また、第５目印領域３５（又は第６目印領域３６）を着用者の脚との位置合わせに利用することで、脚回り伸縮部１０をしっかりと伸長させることができる。また、腹側フラップ部１ｄを着用者の脚に引っ掛ける起点の目印として第５目印領域３５（又は第６目印領域３６）を利用することで、脚回り伸縮部１０をしっかりと着用者の脚の付け根に沿わせることができる。よって、脚回り伸縮部１０が着用者の脚の付け根に隙間なくフィットし、脚回り開口ＬＨからの漏れを抑制できる。
【００５８】
次に、装着者は、幅方向左側の腹側フラップ部１ｄを左手で持ったまま右手で押さえる。この時、装着者は、右手の指（例えば人差し指や中指）が幅方向左側の第５目印領域３５に接触するように（詳しくは外装シート５における第５目印領域３５に接触するように）、腹側フラップ部１ｄを押さえる。その後、装着者は、図９に示すように左手を腹側フラップ部１ｄから離してファスニングテープ７を持ち、図１０に示すようにファスニングテープ７を係止する。
【００５９】
このように、装着者が、ファスニングテープ７の係止のために腹側フラップ部１ｄを持つ手を左右入れ替える際に、第３目印領域３３（又は第４目印領域３４）の近傍の第５目印領域３５（又は第６目印領域３６）を指で押さえることで、脚回り伸縮部１０を着用者の脚の付け根に沿わせて伸長させた状態を保持でき、その状態でファスニングテープ７を係止できる。よって、脚回り伸縮部１０が着用者の脚の付け根に隙間なくフィットした状態でおむつ１が装着される。
【００６０】
同様に幅方向右側のファスニングテープ７も係止する。簡単に説明すると、装着者は、幅方向右側の第４目印領域３４に右手の指を接触させつつ腹側フラップ部１ｄを脇腹に沿わせたら、幅方向右側の第６目印領域３６に左手の指を接触させつつ腹側フラップ部１ｄを押さえ、右手でファスニングテープ７を係止する。こうして、おむつ１の装着が完了する。おむつ１の装着後には、第７目印領域３７が着用者の脚の付け根に沿っていること、つまり、脚回り伸縮部１０が着用者の脚の付け根に沿っていることを確認するとよい。そうすることで、より確実に脚回り開口ＬＨからの漏れを抑制できる。
【００６１】
なお、おむつ１の装着方法は上記に限らない。例えば、右側のファスニングテープ７を先に係止してもよい。また、例えば、装着者が、幅方向左側の第３目印領域３３に右手の指を接触させながら左側の腹側フラップ部１ｄを持って着用者の脇腹に沿わせ、幅方向左側の第５目印領域３５に左手の指を接触させながら左側の腹側フラップ部１ｄを押さえ、右手で左側のファスニングテープ７を係止してもよい。
【００６２】
以上のように、おむつ１に第１〜第８目印領域３１〜３８を設けることで、脚回り伸縮部１０が着用者の脚の付け根に隙間なくフィットするように、おむつ１の装着者をサポートでき、装着の個人差を低減できる。つまり、第１〜第８目印領域３８が設けられたおむつ１は、誰が装着しても、脚回り開口ＬＨからの漏れが抑制されるように適切に装着される。
【００６３】
換言すると、おむつ１に第１〜第８目印領域３８を設けることで、おむつ１が適切に装着されるように、おむつ１の装着方法を説明できる。おむつ１の装着方法の説明方法とは、おむつ１に第１〜第８目印領域３１〜３８がそれぞれ位置することを示し、そして、上記のように装着方法を装着者に説明することである。具体的には、写真やイラストや文字で装着方法を示したものを、おむつ１のパッケージや雑誌やウェブ等に掲載する形態や、装着方法を示した動画を、ＴＶＣＭやウェブサイトに掲載する形態が挙げられる。このように装着方法を説明することで、装着者は適切におむつ１を装着できるようになる。
【００６４】
また、本実施形態のように、第１目印領域３１及び第２目印領域３２を、おむつ１の長手方向に長いライン状の領域にするとよい。そうすることで、おむつ１の装着時におむつ１を着用者の腹部に合わせる際に（図６図７）、おむつ１の長手方向前側の部位を長手方向の広い範囲に亘って幅方向に折ることができる。そのため、より確実に、おむつ１の幅を着用者の股間部の幅に合わせながらおむつ１を着用者の腹部に合せることができ、脚回り伸縮部１０を着用者の脚の付け根に沿わせることができる。
【００６５】
更に、長手方向において、吸収体コア４１と厚さ方向に重なる領域に第１目印領域３１及び第２目印領域３２を位置させるとよい。つまり、図３に示すように、第１目印領域３１及び第２目印領域３２の長手方向の内側の端３１ａ，３２ａが、吸収体コア４１の長手方向の外側の端４１ａよりも、長手方向の内側に位置するとよい。そうすることで、吸収体コア４１が存在する剛性の高い部位が近づけられることになり、おむつ１を幅方向に折り易くなり、且つ、安定して折ることができる。そのため、より確実に、おむつ１の幅を着用者の股間部の幅に合わせながらおむつ１を着用者の腹部に合せることができ、脚回り伸縮部１０を着用者の脚の付け根に沿わせることができる。
【００６６】
また、長手方向において、おむつ１の前側の端から、おむつ１の製品長の１／３の長さまでの範囲に、第１目印領域３１及び第２目印領域３２を設けるとよい。なぜならば、仮にこの範囲よりも長手方向の後側に第１第２目印領域３１，３２が設けられていると、第１目印領域３１と第２目印領域３２とを近付けながら、おむつ１を着用者の腹部に合わせる際に、おむつ１の幅を着用者の股間部の幅に合わせ難くなってしまうからである。なお、おむつ１の製品長とは、おむつ１を伸長させた状態の長さである。つまり、おむつ１に設けられた伸縮性部材の収縮力が発現していない状態での長さである。
【００６７】
また、幅方向において、防漏壁部２０と厚さ方向に重なる領域に第１目印領域３１及び第２目印領域３２を位置させるとよい。つまり、第１目印領域３１及び第２目印領域３２それぞれの少なくとも一部が、防漏壁部２０の幅方向の外側の端２０ａと幅方向の内側の端２０ｂとの間に位置するとよい。そうすることで、第１目印領域３１と第２目印領域３２の幅方向の間隔が狭すぎたり広すぎたりすることがなく、おむつ１の幅を着用者の股間部の幅に合わせながら、おむつ１を着用者の腹部に合せることができ、脚回り伸縮部１０を着用者の脚の付け根に沿わせることができる。
【００６８】
また、装着者が第１目印領域３１と第２目印領域３２とを近付けることに伴い、一対の防漏壁部２０が近づけられると、防漏壁部２０が起立する。特に、防漏壁部２０の長手方向の固定位置（第１接合部２３ａ）を第１第２目印領域３１，３２とすることで、防漏壁部２０がより確実に起立する。そうすると、防漏壁部２０の起立につられて脚回り伸縮部１０が幅方向の内側に入り込み、脚回り伸縮部１０が着用者の脚の付け根に一層沿い易くなる。その他、防漏壁部２０が起立することで防漏壁部２０が着用者の脚の付け根や股間部に沿うため、排泄物が防漏壁部２０により堰き止められ易くなる。また、装着者が防漏壁部２０を認識でき、装着者に安心感を付与できる。
【００６９】
また、幅方向において、吸収体コア４１と厚さ方向に重なる領域に第１目印領域３１及び第２目印領域３２を位置させるとよい。つまり、第１目印領域３１及び第２目印領域３２と長手方向の位置が同じである吸収体コア４１部位の、幅方向の最も外側の端４１ｂよりも、幅方向の内側に、第１目印領域３１及び第２目印領域３２それぞれの少なくとも一部が位置するとよい。そうすることで、吸収体コア４１が存在する剛性の高い部位が近づけられることになり、おむつ１を幅方向に折り易くなり、且つ、安定して折ることができる。
【００７０】
更に、吸収体コア４１の幅が最も狭い部位、つまり、吸収体コア４１における幅方向の最も内側の端４１ｃよりも、第１目印領域３１及び第２目印領域３２の方が、幅方向の外側に位置するとよい。本実施形態の場合、吸収体コア４１に設けられた切欠きの頂点４１ｃよりも第１目印領域３１及び第２目印領域３２の方が、幅方向の外側に位置する。そうすることで、第１目印領域３１と第２目印領域３２の幅方向の間隔が狭すぎることがなく、おむつ１の幅を着用者の股間部の幅に合わせながらおむつ１を着用者の腹部に合せることができ、脚回り伸縮部１０を着用者の脚の付け根に沿わせることができる。
【００７１】
但し上記に限らず、第１目印領域３１及び第２目印領域３２が、長手方向において吸収体コア４１と重ならなかったり、幅方向において防漏壁部２０や吸収体コア４１と重ならなかったりしてもよい。また、吸収体コア４１の幅が最も狭い部位よりも幅方向の内側に第１目印領域３１及び第２目印領域３２が位置してもよい。
【００７２】
また、本実施形態では、第３目印領域３３及び第４目印領域３４と、第５目印領域３５及び第６目印領域３６とを、異なる色、異なる大きさ、異なる形状としている。そうすることで、装着者は、第３目印領域３３及び第４目印領域３４と、第５目印領域３５及び第６目印領域３６とを区別して間違いなく利用できる。また、通常、装着者が腹側フラップ部１ｄを持って着用者の脇腹に沿わせる時には親指が外装シート５に接触し、装着者が腹側フラップ部１ｄを押さえる時には人差し指や中指が外装シート５に接触する。そのため、特に、第３目印領域３３及び第４目印領域３４を、第５目印領域３５及び第６目印領域３６よりも大きくすることで、第３目印領域３３及び第４目印領域３４と、第５目印領域３５及び第６目印領域３６とが、腹側フラップ部１ｄの持ち替え時の持ち位置であることを、装着者が感覚的に認識できる。但し上記に限らず、第３目印領域３３及び第４目印領域３４と、第５目印領域３５及び第６目印領域３６とが、同じ色であったり同じ大きさであったり同じ形状であったりしてもよい。また、第３目印領域３３及び第４目印領域３４よりも第５目印領域３５及び第６目印領域３６の方が大きくてもよい。
【００７３】
また、本実施形態では、第５目印領域３５及び第６目印領域３６が脚回り伸縮部１０と厚さ方向に重なる領域に位置している。仮に第５目印領域３５及び第６目印領域３６が脚回り伸縮部１０と重なっていないと、脚回り伸縮部１０と着用者の脚の付け根との位置関係がずれるおそれがある。そこで、第３目印領域３３及び第４目印領域３４と、第５目印領域３５及び第６目印領域３６との少なくとも一方を、脚回り伸縮部１０と厚さ方向に重なる領域に位置させるとよい。そうすることで、脚回り伸縮部１０をしっかりと伸長させた状態で着用者の脚の付け根に沿わせることができ、また、その伸長状態を保持できる。なお、第３〜第６目印領域３３〜３６それぞれの少なくとも一部が脚回り伸縮部１０と厚さ方向に重なっていればよい。
【００７４】
また、本実施形態の第７目印領域３７は、脚回り伸縮部１０に沿う部位に加えて、脚回り伸縮部１０の長手方向の前側の端１０ａ近傍から前胴回り部１ｃの幅方向の端部に向かう部位を有する。そのため、おむつ１の装着後に、脚回り伸縮部１０の端１０ａ近傍から延びる第７目印領域３７の部位が、脚回り伸縮部１０の長手方向の後側の端部と交差していることを確認でき、脚回り開口ＬＨが大き過ぎないことを確認できる。よって、脚回り開口ＬＨからの漏れを一層抑制できる。但しこれに限らず、第７目印領域３７が脚回り伸縮部１０に沿う部位のみを有する形態でもよい。
【００７５】
また、おむつ１の装着時、おむつ１の非肌側面は長手方向の前側の部位しか視認されない。そのため、第７目印領域３７は、おむつ１の長手方向の中央ＣＬ１や脚回り伸縮部１０の長手方向の中央から長手方向の前側に延びていればよく、長手方向の後側に延びていなくてもよい。但し、おむつ１の長手方向の後側にも第７目印領域３７が設けられていることで、脚回り開口ＬＨが大きすぎないかの上記の確認を行い易くなる。
【００７６】
＝＝＝変形例＝＝＝
図１１Ａ及び図１１Ｂは第１目印領域３１及び第２目印領域３２の変形例の説明図である。上記実施形態のように防漏壁シート２１とトップシート２の第１接合部２３を第１第２目印領域３１，３２とするに限らない。例えば、図１１Ａに示すように、第１第２目印領域３１，３２を第１接合部２３よりも長手方向の内側に長く延ばし、第１第２目印領域３１，３２の長さを、伸長状態であるおむつ１の製品長の１／３程度の長さにしてもよい。そうすることで、おむつ１を着用者の腹部に合わせる際に、おむつ１の長手方向前側の部位を長手方向の広い範囲に亘って幅方向に折ることができ、より確実に脚回り伸縮部１０を着用者の脚の付け根に沿わせることができる。
【００７７】
また、第１第２目印領域３１，３２をおむつ１の長手方向に長いライン状の領域とするに限らない。また、第１目印領域３１と第２目印領域３２とが異なる形状であってもよい。例えば、図１１Ｂに示すように、第１目印領域３１を環形状とし、第２目印領域３２を第１目印領域３１の中空部と同じ大きさの円形状としてもよい。そうすることで、第１目印領域３１の中空部に第２目印領域３２を合わせること、つまり、第１目印領域３１と第２目印領域３２とを近付けることを、装着者が感覚的に認識できる。
【００７８】
図１２Ａから図１２Ｃは第７目印領域３７の変形例の説明図である。上記実施形態のように第７目印領域３７を実線とするに限らず、例えば点線等にしてもてよい。また、図１２Ａに示すように、長手方向の前側及び幅方向の外側に頂部が向いた山が複数並んだラインを第７目印領域３７としてもよい。また、図１２Ｂに示すように、長手方向の前側及び幅方向の外側に向かって先細りしたラインを第７目印領域３７としてもよい。また、図１２Ｃに示すよう、長手方向の前側及び幅方向の外側に向かって小さくなる四角が複数並んだラインを第７目印領域３７としてもよい。このように第７目印領域３７が方向を示すことで、円を描くように第７目印領域３７を着用者の脚の付け根に入り込ませることを、装着者が感覚的に認識できる。
【００７９】
また、おむつ１は、第１目印領域３１及び第２目印領域３２と、第３目印領域３３及び第４目印領域３４とを有していればよく、第８目印領域３８や、第５目印領域３５及び第６目印領域３６や、一対の第７目印領域３７を有していても有していなくてもよい。また、おむつ１が、第１目印領域３１及び第２目印領域３２と、第３目印領域３３及び第４目印領域３４とのうち、一方を有するだけでもよい。
【００８０】
以上、上記実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。
【符号の説明】
【００８１】
１  おむつ（展開型おむつ）、１’  本体部、１ａ  後胴回り部、１ｂ  股下部、１ｃ  前胴回り部、２  トップシート、３  バックシート、４  吸収体、４１  吸収体コア、４２  被覆材、４３  切欠き、５  外装シート、６  クロッチ伸縮性シート、７  ファスニングテープ、７ａ  フックシート、８  ターゲットシート、９  脚回り伸縮性シート、１０  脚回り伸縮部、２０  防漏壁部、２１  防漏壁シート、２２  防漏壁用の伸縮性部材、２３  第１接合部、２４  第２接合部、３１  第１目印領域、３２  第２目印領域、３３  第３目印領域、３４  第４目印領域、３５  第５目印領域、３６  第６目印領域、３７  第７目印領域、３８  第８目印領域、ＷＨ  胴回り開口、ＬＨ  脚回り開口
【図１】
0006389814.tif 000002
【図２】
0006389814.tif 000003
【図３】
0006389814.tif 000004
【図４】
0006389814.tif 000005
【図５】
0006389814.tif 000006
【図６】
0006389814.tif 000007
【図７】
0006389814.tif 000008
【図８】
0006389814.tif 000009
【図９】
0006389814.tif 000010
【図１０】
0006389814.tif 000011
【図１１】
0006389814.tif 000012
【図１２】
0006389814.tif 000013